(57)【要約】【課題】補助手段を必要とせず、打ち込み装置によって素早く取り付けることのできる格子用保持素子を得る。【解決手段】保持素子１０に、少なくとも一方の端部１３をフック状に構成した第１脚１１および、鋲やピンなどの固定素子６０のための貫通孔２３を有する固定切片２０を設けた第２脚を備える。第１脚１１には、この第１辺１１におけるフック状端部１３が位置する第１脚部分１４と、および、第１脚部分１４を第１脚１１の長手方向Ｌの方向に抜き差し可能に案内する第２脚部分１５を設け、第１脚部分１４と第２脚部分１５との間に、第１脚部分１４を第２脚部分１５において保持するための係止機構３０を設ける。好適には、第２脚部分１５に長手方向に互いに平行に延在する２個の案内溝１８を有する案内１７を設け、第１脚部分１４の案内部１６を案内する。【選択図】図２
2007085546.tif 000002
【特許請求の範囲】
【請求項１】
格子を保持するための保持素子であって、少なくとも一方の端部（１３）をフック状に構成した第１脚（１１）と、および、鋲やピンなどの固定素子（６０）のための貫通孔（２３）を有する固定部（２０）を設けた第２脚とを備えた該保持素子において、
前記第１脚（１１）に、この第１脚（１１）におけるフック状端部（１３）が位置する第１脚部分（１４）と、および、第１脚部分（１４）を第１脚（１１）の長手方向（Ｌ）の方向に抜差可能に案内する第２脚部分（１５）を設け、第１脚部分（１４）と第２脚部分（１５）との間に、第１脚部分（１４）を第２脚部分（１５）に保持するための係止機構（３０）を設けたことを特徴とする格子用の保持素子。
【請求項２】
請求項１記載の保持素子において、第２脚部分（１５）に、長手方向（Ｌ）に互いに平行に延在する２個の案内溝（１８）を有する案内（１７）を設け、これら案内溝（１８）により第１脚部分（１４）の案内部（１６）を案内するものとした格子用の保持素子。
【請求項３】
請求項１または２に記載の保持素子において、案内溝（１８）を、第２脚部分（１５）の互いに対向する側面で第２脚部分（１５）の端縁を折り曲げることによって構成した格子用の保持素子。
【請求項４】
請求項１〜３のいずれか一項に記載の保持素子において、係止機構（３０）を、係止手段（３１）と、少なくとも２個の対向係止手段（３１）とにより構成した格子用の保持素子。
【請求項５】
請求項４記載の保持素子において、係止手段（３１）を、スナップ式フックとして構成し、対向係止手段（３２）を係止ウェブとして構成した格子用の保持素子。
【請求項６】
請求項４または５に記載の保持素子において、弾性的に変位可能な係止手段（３１）を持ち上げるために対向係止手段（３２）の、フック状端部（１３）に指向する側の側面を、傾斜面（３３）として構成した格子用の保持素子。
【発明の詳細な説明】
【技術分野】
【０００１】
本発明は、特許請求の範囲における請求項１の前段に記載した打ち込み装置に関する。この保持素子によって格子や格子蓋を支持体などに取り付けることができる。
【背景技術】
【０００２】
特許文献１には、フック状端部で支持体に固定し、フック状端部とは反対側の端部にねじを通すための穴を有するこの種の保持素子が記載されている。保持素子を格子蓋に当接させた皿状素子にねじで連結し、保持素子によってこの格子蓋を支持体に固定する。
【特許文献１】米国特許第５１１８１４７号明細書
【０００３】
既知の保持素子の欠点は、取り付けが面倒なことおよび、例えば手持ち打ち込み装置（鋲打ち機）などによって直接取り付けることができないことである。
【０００４】
特許文献２には、２個の脚を有する保持素子が記載されている。第１脚にはＵ字状溝を設け、溝の底部には固定手段を保持する開口部を設ける。第２脚は平らに構成し、第２開口部を設ける。この保持素子は手持ち打ち込み装置を用いて、Ｕ字状溝を有する脚において固定素子により基礎構造に固定することができる。
【特許文献２】米国特許第４７０３８８３号明細書
【０００５】
この保持素子の欠点は、格子蓋を支持体や基礎構造に固定するために、格子に取り付けるための他の補助手段が必要なことである。
【発明の開示】
【発明が解決しようとする課題】
【０００６】
本発明の課題は、上述の欠点を回避し、打ち込み装置によって素早く取り付けることができる保持素子を得ることにある。
【課題を解決するための手段】
【０００７】
この課題は、本発明特許請求の範囲における請求項１の後段に記載の手段により解決する。
【０００８】
本発明によれば、第１脚には、この第１脚におけるフック状端部が位置する第１脚部分と、および、第１脚部分を第１脚の長手方向に抜差可能に案内する第２脚部分とを設ける。第１脚部分と第２脚部分との間には、第１脚部分を第２脚部分に対して相対的な位置に保持するための係止機構を設ける。
【発明の効果】
【０００９】
本発明によれば、作業過程において保持素子を打ち込み装置によって支持体に固定し、また、第１脚の抜き差し自在性によって異なる高さの格子に対して保持素子を適用させることができる。更に、係止機構によって保持素子を第１脚を適正な長さにして固定することができる。そのため、追加の補助手段は必要ない。
【発明を実施するための最良の形態】
【００１０】
好適には、第２辺部材に長手方向に互いに平行に延在する２個の案内溝を有する案内を設け、これら案内溝により第１脚部分の案内部を案内する。この構成により、双方の脚部分を容易に手動で抜き差しすることができ、双方の脚部分を収縮させる際の傾斜を回避できる。
【００１１】
本発明の低コストで製造できる実施例では、案内溝を第２脚部分の互いに対向する側面で第２脚部分の端縁を折り曲げることによって構成する。その際、保持素子を打ち抜き及び折り曲げによって形成する金属板部材として製造できる。
【００１２】
係止機構を、係止手段と、および少なくとも２個の対向係止手段とにより構成すると、第１脚部分を第２脚部分に対する種々の異なる位置に固定でき、第２脚部分に対して長手方向における第１脚部分の種々の異なる長さにして保持できる。
【００１３】
その際、係止手段を、特にスナップ式フックとして構成し、対向係止手段を係止ウェブとして構成する。これにより、例えば金属板部材を打ち抜きおよび折り曲げによる簡単な方法で構成できる連結が可能になる。
【００１４】
弾性的に変位可能な係止手段を持ち上げるために、対向係止手段もしくは係止ウェブの、フック状端部に指向する側の側面を傾斜面として構成すると更に有利である。これにより、第１脚部分を第２脚部分に設置する際、係止止手段もしくはスナップ式フックが、移動方向にある各係止ウェブにおいて持ち上がり、スムーズに通過できる。
【００１５】
本発明のその他の利点及び構成は、特許請求の範囲の従属項、以下の説明及び図面から明らかであろう。図面につき、本発明の実施例を説明する。
【実施例１】
【００１６】
図１および図２には本発明の保持素子１０の実施例を示す。この保持素子１０には第１脚１１および第２脚１２を設け、これら双方の脚をほぼ直角するの角度をなすように設ける。第１脚１１の上方の遊端１３をフック状に構成し、このフック状の遊端を、格子５０の交差支柱５１または、支持体４０に固定する他の素子に引っ掛けるようにする。第１脚１１には、更に第１脚部分１４および第２脚部分１５を設け、第１脚部分１４を、第２脚部分１５において第１脚１１の長手方向Ｌに抜き差し可能に案内する。第２脚部分には案内１７を設け、この案内１７は、第２脚部分１５の両側の側面に位置し長手方向Ｌに延びる２つの案内溝１８を設ける。これら案内溝１８に、第１脚部分１４に設けた案内部１６を案内する。案内溝１８を、第２脚部分１５の互いに対向する側面において、第２脚部分１５の端縁を折り曲げることによって構成する。
【００１７】
第１脚部分１４を第２脚部分１５に対して相対的に固定するため、第１脚部分１４と第２脚部分１５の間に係止機構３０を設ける。この係止機構３０をスナップ式留め具として構成し、第１脚部分１４側にスナップ式フックとして構成した係止手段３１を設け、第２脚部分１５に係止ウェブとして構成した対向係止手段３２を設ける。長手方向Ｌにおける第１脚の異なる長さ、まは高さに対応する異なる係止位置を得るため、第２脚部分１５に複数個の対向係止手段３２を長手方向Ｌに順次に設ける。対向係止手段３２におけるフック状端部１３に対向する側の側面を傾斜面３３として構成し、それによって第１脚部分１４を第２脚部分１５に挿入する際、弾性的にたわむ、もしくは旋回可能な係止手段３１が対向係止手段３２上を通過できるようにする。第１脚部分１４を第２脚部分１５から引き出すには、スナップ式フックとして構成した係止手段３１を対向係止手段３２における係止位置から手動で旋回させる、または持ち上げて取り外すことによってのみ可能である。
【００１８】
フック状端部１３から第２脚部分１５の方向に突出する突出部１９によって、格子５０の交差支柱５１を収容する第１脚部分１４の領域を案内１７に対して制限する。
【００１９】
第２脚１２をサドル状の固定部２０によって構成し、この固定部２０に固定素子６０のための貫通孔２３を設ける。この固定素子６０を図１及び図２には示さない打ち込み装置によって、図２に示した支持体４０のような基礎構造に打ち込むことができる。固定部２０の隆起側面を、第１脚部分２１および第２脚部分２２によって構成し、基礎構造に対する当接部位をなすよう、第１脚部分２１の端部領域２４を曲げ出す。第２脚部分２２も、やはり固定部２０から離れる側の端部領域で曲げ、この湾曲部２５で保持素子１０の第１脚１１に直接移行させる。
【００２０】
保持素子１０を取り付ける際、この保持素子１０のフック状端部１３を格子５０の交差支柱５１に位置決めし、一方、第２脚１２の固定部２０を支持体４０上に位置決めする。例えば燃焼エネルギー駆動式の打ち込み装置を用いて打ち込んだ固定素子６０によって保持素子１０を支持体４０に固定する。それに引き続き、フック状端部１３と突出部１９によって交差支柱５１を包囲するまで第１脚部分１４を案内１７に沿って手動で第２脚部分１５に進入させる。係止素子３１は傾斜面３３上を通過する際に弾性的に旋回する。終止位置において係止素子３１は対向係止手段３２の１つにおいて停止する（図２参照）。このようにして、格子５０を、保持素子１０を介して支持体４０に安定に固定する。
【図面の簡単な説明】
【００２１】
【図１】本発明の保持素子における透視図である。
【図２】土台に固定した状態における、図１に示した保持素子のII−II線上の断面図である。
【符号の説明】
【００２２】
１０  保持素子
１１  第１脚
１２  第２脚
１３  端部
１４  第１脚部分
１５  第２脚部分
１６  案内部
１７  案内
１８  案内溝
１９  突出部
２０  固定部
２１  第１脚部分
２２  第２脚部分
２３  貫通孔
２４  端部領域
２５  湾曲部
３０  係止機構
３１  係止手段
３２  対向係止手段
３３  傾斜面
４０  支持体
５０  格子
５１  交差支柱
６０  固定素子
Ｌ  長手方向
【図１】
2007085546.tif 000003
【図２】
2007085546.tif 000004